【手続補正書】
【提出日】平成20年7月24日(2008.7.24)
【手続補正１】
【補正対象書類名】明細書
【補正対象項目名】特許請求の範囲
【補正方法】変更
【補正の内容】
【特許請求の範囲】
【請求項１】  式（Ｉ）又は（II）：
【化１】
2004505984.tif 000001
〔式中、
Ｇ1及びＧ6は、独立して水素又はハロゲンであり；
Ｇ2及びＧ7は、独立してシアノ、炭素原子１〜１２個のペルフルオロアルキル、フルオロ、クロロ、−ＣＯ−Ｇ3、−ＣＯＯＧ3、−ＣＯＮＨＧ3、−ＣＯＮ（Ｇ3）2、Ｅ3ＳＯ−、Ｅ3ＳＯ2−、−ＰＯ（Ｃ6Ｈ5）2、下記式：
【化２】
2004505984.tif 000002
で示される基、−ＣＯ−Ｘ−Ｔ1−Ｏ−ＣＯ−ＮＨ−Ｔ2−Ｓｉ（ＯＲ2）n（Ｒ1）3-n又は−ＣＯ−Ｘ−Ｔ1−Ｓｉ（ＯＲ2）n（Ｒ1）3-nであるか；あるいは
Ｇ7もまた水素であるか；又は
Ｅ1が式（IV）又は（Ｖ）の基である場合、Ｇ2もまた水素であってもよく；
Ｔ1及びＴ2は、独立して炭素原子１〜１８個のアルキレン又は炭素原子８〜２０個のアルキレンフェニレンアルキレンであり；
Ｒ1及びＲ2は、独立して炭素原子１〜１８個のアルキル、炭素原子５〜１２個のシクロアルキル、炭素原子６〜１０個のアリール又は炭素原子７〜２０個のフェニルアルキルであり；
ｎは、０、１、２又は３であり；
Ｘは、−Ｏ−、−ＮＥ4−又は−ＮＨ−であり；
Ｇ3は、水素、炭素原子１〜２４個の直鎖状若しくは分岐鎖状アルキル、炭素原子２〜１８個の直鎖状若しくは分岐鎖状アルケニル、炭素原子５〜１２個のシクロアルキル、炭素原子７〜１５個のフェニルアルキル、フェニル又は該フェニル環上で炭素原子１〜４個のアルキル１〜４個により置換されている前記フェニル若しくは前記フェニルアルキルであり；
Ｅ1は、水素、炭素原子１〜２４個の直鎖状若しくは分岐鎖状アルキル、炭素原子２〜２４個の直鎖状若しくは分岐鎖状アルケニル、炭素原子５〜１２個のシクロアルキル、炭素原子７〜１５個のフェニルアルキル、フェニル、又は該フェニル環上で炭素原子１〜４個のアルキル１〜４個により若しくは１個以上の以下の基−Ｔ１−Ｓｉ（ＯＲ2）n（Ｒ1）3-n、−Ｔ1−Ｘ−ＣＯ−Ｘ−Ｔ2−Ｓｉ（ＯＲ2）n（Ｒ1）3-n、−Ｔ1−ＣＯ−Ｘ−Ｔ2−Ｓｉ（ＯＲ2）n（Ｒ1）3-n、−Ｘ−Ｔ1−Ｓｉ（ＯＲ2）n（Ｒ1）3-n若しくは−Ｘ−Ｔ1−Ｘ−ＣＯ−Ｘ−Ｔ2−Ｓｉ（ＯＲ2）n（Ｒ1）3-nにより置換されている前記フェニル若しくは前記フェニルアルキルであるか；
Ｅ1は、１又は２個のヒドロキシ基で置換されている炭素原子１〜２４個のアルキルであるか；あるいは
Ｅ1は式（IV）又は（Ｖ）：
【化３】
2004505984.tif 000003
【化４】
2004505984.tif 000004
（式中、
Ｅ27及びＥ28は、独立して炭素原子１〜１８個のアルキル又は炭素原子５〜１２個のシクロアルキルであり；
Ｅ22、Ｅ23、Ｅ24、Ｅ25及びＥ26は、独立して水素、ハロゲン、炭素原子１〜１８個の直鎖状若しくは分岐鎖状アルキル、炭素原子２〜１８個のアルケニル又は１個以上のハロゲン、−ＯＣＯＥ11、−ＯＥ4、−ＮＣＯ、−ＮＨＣＯＥ11若しくは−ＮＥ7Ｅ8若しくはそれらの混合物により置換されている前記アルキル若しくは前記アルケニル（ここでＥ4は、炭素原子１〜２４個の直鎖状若しくは分岐鎖状アルキル又は炭素原子２〜１８個の直鎖状若しくは分岐鎖状アルケニルである）であるか；１個以上の−Ｏ−、−ＮＨ−若しくは−ＮＥ4−基又はそれらの混合物で中断され、かつ非置換又は１個以上の−ＯＨ、−ＯＥ4若しくは−ＮＨ2又はそれらの混合物で置換されうる前記アルキル若しくは前記アルケニルであるか；あるいは
Ｅ22、Ｅ23、Ｅ24、Ｅ25及びＥ26は、独立してフェニル、−ＯＨ、−ＯＣＯＥ11、−ＯＥ29、−ＮＣＯ、−ＮＨＣＯＥ11若しくは−ＮＥ7Ｅ8、シアノ、ニトロ、炭素原子１〜１２個のペルフルオロアルキル、−ＣＯＧ3、−ＣＯＯＧ3、−ＣＯＮ（Ｇ3）2、−ＣＯＮＨＧ3、Ｅ3Ｓ−、Ｅ3ＳＯ−、Ｅ3ＳＯ2−、−Ｐ（Ｏ）（Ｃ6Ｈ5）2、−Ｐ（Ｏ）（ＯＧ3）2又は−ＳＯ2−Ｘ1−Ｅ29であり；
Ｘ1は、−Ｏ−、−ＮＨ−又は−ＮＥ4−であり；
Ｅ29は、炭素原子１〜２４個の直鎖状若しくは分岐鎖状アルキル、炭素原子２〜１８個の直鎖状若しくは分岐鎖状アルケニル、又は１個以上の−ＯＨ、−ＯＣＯＥ11、−ＯＥ4、−ＮＣＯ、−ＮＨＣＯＥ11、−ＮＥ7Ｅ8、フタルイミド、下記式：
【化５】
2004505984.tif 000005
で示される基又はそれらの混合物で置換されている前記アルキル若しくはアルケニル（ここでＥ4は、炭素原子１〜２４個の直鎖状若しくは分岐鎖状アルキル又は炭素原子２〜１８個のアルケニルである）であるか；１個以上の−Ｏ−、−ＮＨ−若しくは−ＮＥ4−基又はそれらの混合物で中断され、かつ非置換又は１個以上の−ＯＨ、−ＯＥ4若しくは−ＮＨ2又はそれらの混合物で置換されうる前記アルキル若しくは前記アルケニルであるか；あるいは
Ｅ29は、炭素原子７〜１５個のフェニル若しくはフェニルアルキルであるか、又は炭素原子１〜４個のアルキル基１〜３個で置換されている前記フェニル若しくは前記フェニルアルキルである）
で示される基であり；
Ｅ2及びＥ9は、独立して水素、炭素原子１〜２４個の直鎖状若しくは分岐鎖状アルキル、炭素原子２〜１８個の直鎖状若しくは分岐鎖状アルケニル、炭素原子５〜１２個のシクロアルキル、炭素原子７〜１５個のフェニルアルキル、フェニル、又は該フェニル環上で炭素原子１〜４個のアルキル１〜３個により若しくは１個以上の以下の基−Ｔ１−Ｓｉ（ＯＲ2）n（Ｒ1）3-n、−Ｔ1−Ｘ−ＣＯ−Ｘ−Ｔ2−Ｓｉ（ＯＲ2）n（Ｒ1）3-n、−Ｔ1−ＣＯ−Ｘ−Ｔ2−Ｓｉ（ＯＲ2）n（Ｒ1）3-n、−Ｘ−Ｔ1−Ｓｉ（ＯＲ2）n（Ｒ1）3-n若しくは−Ｘ−Ｔ1−Ｘ−ＣＯ−Ｘ−Ｔ2−Ｓｉ（ＯＲ2）n（Ｒ1）3-nにより置換されている前記フェニル若しくは前記フェニルアルキルであるか；
Ｅ2及びＥ9は、独立して１個以上の−ＯＨ、−ＯＣＯＥ11、−ＯＥ4、−ＮＣＯ、−ＮＨ２、−ＮＨＣＯＥ11、−ＮＨＥ4若しくは−Ｎ（Ｅ4）2又はそれらの混合物で置換されている炭素原子１〜２４個の前記アルキル若しくは炭素原子２〜１８個の前記アルケニル（ここでＥ4は、炭素原子１〜２４個の直鎖状若しくは分岐鎖状アルキルである）であるか；１個以上の−Ｏ−、−ＮＨ−若しくは−ＮＥ4−基又はそれらの混合物で中断され、かつ非置換又は１個以上の−ＯＨ、−ＯＥ4若しくは−ＮＨ2又はそれらの混合物で置換されうる前記アルキル若しくは前記アルケニルであるか；あるいは
Ｅ1、Ｅ2及びＥ9は、また、独立して−Ｔ1−Ｓｉ（ＯＲ2）n（Ｒ1）3-n、−Ｔ1−Ｘ−ＣＯ−Ｘ−Ｔ2−Ｓｉ（ＯＲ2）n（Ｒ1）3-n又は−Ｔ1−ＣＯ−Ｘ−Ｔ2−Ｓｉ（ＯＲ2）n（Ｒ1）3-nであり；
Ｅ11は、水素、炭素原子１〜１８個の直鎖状若しくは分岐鎖状アルキル、炭素原子２〜１８個の直鎖状若しくは分岐鎖状アルケニル、炭素原子５〜１２個のシクロアルキル、炭素原子６〜１４個のアリール又は炭素原子７〜１５個のフェニルアルキルであり；
Ｌは、炭素原子１〜１２個のアルキレン、炭素原子２〜１２個のアルキリデン、ベンジリデン、ｐ−キシリレン、炭素原子５〜１２個のシクロアルキリデン又はα，α，α′，α′−テトラメチル−ｍ−キシリレンであり；
Ｅ3は、炭素原子１〜２０個のアルキル、炭素原子２〜９個のアルコキシカルボニルで置換されている前記アルキル、炭素原子２〜２０個のヒドロキシアルキル、炭素原子３〜１８個のアルケニル、炭素原子５〜１２個のシクロアルキル、炭素原子７〜１５個のフェニルアルキル、炭素原子６〜１０個のアリール又は１又は２個の炭素原子１〜４個のアルキル若しくは１，１，２，２−テトラヒドロペルフルオロアルキル（ここでペルフルオロアルキル部分は、炭素原子６〜１６個のものである）で置換されている前記アリールであり；
Ｅ5及びＥ8は、独立してＥ2と同一であるか；又は
Ｅ5及びＥ8は、独立して水素、−Ｘ−Ｅ1、−Ｘ−ＣＯ−Ｅ2、−Ｘ−ＣＯ−Ｘ1、−Ｘ−Ｔ1−Ｓｉ（ＯＲ2）n（Ｒ1）3-n若しくは−Ｘ−Ｔ1−Ｘ−ＣＯ−Ｘ−Ｔ2−Ｓｉ（ＯＲ2）n（Ｒ1）3-nであり；
Ｘ1は、−ＮＨ−Ｅ4又は−Ｘ−Ｅ2であるが；
但し、Ｇ2、Ｅ1、Ｅ2及びＥ5のうちの少なくとも１個が、基：−Ｔ1−Ｓｉ（ＯＲ2）n（Ｒ1）3-n、−Ｔ1−Ｘ−ＣＯ−Ｘ−Ｔ2−Ｓｉ（ＯＲ2）n（Ｒ1）3-n又は−Ｔ1−ＣＯ−Ｘ−Ｔ2−Ｓｉ（ＯＲ2）n（Ｒ1）3-nを含み、ここでＴ1及びＴ2は、独立して炭素原子１〜１８個のアルキレン又は炭素原子８〜２０個のアルキレンフェニレンアルキレンであり、Ｒ1及びＲ2は、独立して炭素原子１〜１８個のアルキル、炭素原子５〜１２個のシクロアルキル、炭素原子６〜１０個のアリール又は炭素原子７〜２０個のフェニルアルキルであり、そしてｎは、０、１、２又は３である〕
で示される化合物。
【請求項２】  光誘発性の分解に対して安定化された組成物であって、
（ａ）光誘発性の分解を受ける有機材料、及び
（ｂ）請求項１記載の式（Ｉ）又は（II）の化合物の安定化有効量
を含む、組成物。
【請求項３】  共添加剤として、ベンゾトリアゾール、ｓ−トリアジン、オキサニリド、ヒドロキシベンゾフェノン、ベンゾアート及びα−シアノアクリラートからなる群より選択される他のＵＶ吸収剤を更に含む、請求項２記載の組成物。
【請求項４】  共添加剤として、フェノール性酸化防止剤及び／又は立体障害アミンを更に含む、請求項２記載の組成物。